(57)【特許請求の範囲】
【請求項１】
少なくとも２本の支柱と、
該２本の支柱間に架設されるパイプ部材である架設部材と、
該支柱の架設部材が延びる方向に面が向いている両側面であって、且つ該支柱の長手方向
に適宜の間隔で複数形成される係止突起と、
該架設部材の両端に固設される該支柱の係止突起に係止する係止部材と、を有し、
該係止突起の該架設部材が延びる方向から見た左右の側面は、下方に向けて漸次拡大す
るテーパ面であり、
該係止部材は、該架設部材が延びる方向と直交する前後方向の一方が開口する平面視が
コ字形状であり、該コ字形状の対峙する両側部の内周面には、該係止突起のテーパ面に対
応する内テーパ面が形成されたものであることを特徴とする置棚装置。
【請求項２】
該架設部材は、中空パイプに軸パイプを伸縮自在に挿入してなるパイプ部材であることを特徴とする請求項１記載の置棚装置。
【請求項３】
該支柱は４本であり、該パイプ部材は、前後一対の上方のパイプ部材及び前後一対の下
方のパイプ部材であることを特徴とする請求項２記載の置棚装置。
【請求項４】
該支柱の該架設部材が延びる方向と直交する前後方向における両側面であって、上下位
置が該係止突起の下端位置近傍に相当する位置に、係止凹部を形成したことを特徴とする
請求項１〜３のいずれか１項に記載の置棚装置。
【請求項５】
該一対の上方のパイプ部材間に差渡しで架設させる上方の棚板部材を備えることを特徴
とする請求項３に記載の置棚装置。
【請求項６】
該一対の下方のパイプ部材間に差渡しで架設させる下方の棚板部材を備えることを特徴
とする請求項３に記載の置棚装置。
【発明の詳細な説明】
【技術分野】
【０００１】
本発明は、主に、流し台下や洗面台下のキャビネット内の収納空間に設置される、使い勝手のよい置棚装置に関するものである。
【背景技術】
【０００２】
従来、流し台下や洗面台下のキャビネット内の収納空間で使用する置棚装置としては、例えば、シンク下の収納空間に排水トラップ等の縦配管が縦走するシンク下キャビネット内に設置する置棚であって、前記縦配管を挟んで左右に対置する一対の支脚と、該支脚間に架設する第一パイプと、該第一パイプと前記縦配管間に位置して、前記第一パイプと平行に前記支脚間に架設する第二パイプと、一端が前記第一パイプで支持され、他端が前記第二パイプを超える長さを有して、中途を前記第二パイプで支持することにより水平に保持される棚板とを備えたシンク下キャビネットの置棚が知られている（特開２０１３−１１８８９４号公報）。
【０００３】
シンク下キャビネットの置棚によれば、第一・第二パイプを架設した支脚の当該架設とは反対側が開放部となるため、予めキャビネット外で組み立てたものを前記開放部からキャビネット内に設置することが可能である。また、開放部が排水トラップの前方に位置するように組み立てることによって、排水トラップの前方を収納空間として有効利用することもできる。
【先行技術文献】
【特許文献】
【０００４】
【特許文献１】特開２０１３−１１８８９４号公報
【発明の概要】
【発明が解決しようとする課題】
【０００５】
しかしながら、上記従来のシンク下キャビネットの置棚では、支脚に第一・第二パイプを架設する場合、ネジ止めによる。従って、棚板位置を変更する場合、ネジを外して、支脚から第一・第二パイプを外し、次いで新たな位置の支脚に、第一・第二パイプをネジ止めすることになり、棚板位置の変更が面倒である。また、支脚に対する第一・第二パイプの奥行方向における位置は変更できず、狭い空間における前後方向における利用スペースは決まったものであった。
【０００６】
従って、本発明の目的は、支柱を連結するパイプ部材の位置変更がネジを使用することなく、簡単に行え、しかも、前後方向の僅かな空間を有効利用できる置棚装置を提供することにある。
【課題を解決するための手段】
【０００７】
すなわち、本発明は、従来の課題を解決するものであって、少なくとも２本の支柱と、
該２本の支柱間に架設される長手方向に伸縮自在の架設部材と、該支柱の架設部材が延びる方向に面が向いている両側面であって、且つ該支柱の長手方向に適宜の間隔で複数形成される係止突起と、該架設部材の両端に固設される該支柱の係止突起に係止する係止部材と、を有し、該係止突起の該架設部材が延びる方向から見た左右の側面は、下方に向けて漸次拡大するテーパ面であり、該係止部材は、該架設部材が延びる方向と直交する前後方向の一方が開口する平面視がコ字形状であり、該コ字形状の対峙する両側部の内周面には、該係止突起のテーパ面に対応する内テーパ面が形成されたものであることを特徴とする置棚装置を提供するものである。
【０００８】
また、本発明は、該架設部材は、中空パイプに軸パイプを伸縮自在に挿入してなるパイプ部材であることを特徴とする前記置棚装置を提供するものである。
【０００９】
また、本発明は、該支柱は４本であり、該パイプ部材は、前後一対の上方のパイプ部材及び前後一対の下方のパイプ部材であることを特徴とする前記置棚装置を提供するものである。
【００１０】
また、本発明は、該支柱の該架設部材が延びる方向と直交する前後方向における両側面であって、上下位置が該係止突起の下端位置近傍に相当する位置に、係止凹部を形成したことを特徴とする前記置棚装置を提供するものである。
【００１１】
また、本発明は、該一対の上方のパイプ部材間に差渡しで架設させる上方の棚板部材を備えることを特徴とする前記置棚装置を提供するものである。
【００１２】
また、本発明は、該一対の下方のパイプ部材間に差渡しで架設させる下方の棚板部材を備えることを特徴とする前記置棚装置を提供するものである。
【発明の効果】
【００１３】
本発明によれば、支柱側の係止突起とパイプ部材側の係止部材との接続は、下方に漸次拡大するテーパ同士の係止であり、支柱に対して係止部材を上方に引き上げるのみで簡単に外すことができる。また、再度の組み付けの際、パイプ部材が伸縮自在パイプであるため、他端は自由端であり、支柱側の係止突起とパイプ部材側の係止部材の位置決めは正確にでき、接続は支柱に対して係止部材を押し込むのみで簡単に組み込むことができる。また、パイプ部材側の係止部材は平面視がコ字形状であるため、支柱に対して内側接続と外側接続の両方ができ、前後方向の僅かな空間を有効利用できる。また、支柱側の係止突起とパイプ部材側の係止部材との係止を外す際、支柱の他の側面に形成された係止凹部に例えばドライバーのマイナス端を差し込み、ドライバーの先端を支点としてパイプ部材側の係止部材を上方へ押し上げれば、てこの原理で係止を簡単に解除することができる。
【図面の簡単な説明】
【００１４】
【図１】本発明の実施の形態における置棚装置の使用状態図である。
【図２】図１の置棚装置の分解図である。
【図３】図１の置棚装置の側面図である。
【図４】図１の置棚装置の正面図である。
【図５】係止部材と係止突起の拡大図である。
【図６】図３の符号Ｘで示す円内の拡大図である。
【図７】図４の符号Ｙで示す円内の拡大図である。
【図８】係止部材の縦断面図である。
【図９】図８のＺ-Ｚ断面図である。
【図１０】係止部材と係止突起の他の拡大図である。
【発明を実施するための形態】
【００１５】
次に、本発明の実施の形態における置棚装置を図１〜図９を参照して説明する。本明細書中、左右方向及び前後方向は、図１の符号Ｘ方向から見た方向を言い、架設部材の長手方向とは、符号Ｙ方向を言う。本発明において置棚装置は、少なくとも２本の支柱、好ましくは４本の支柱であり、架設部材としては、伸縮する棚板部材や伸縮するパイプ部材が挙げられる。以下、支柱が４本、左右に延びる架設部材がパイプ部材の置棚装置について説明する。
【００１６】
置棚装置１０は、前方の左右２本及び後方の左右２本の合計４本の支柱１ａ〜１ｄと、前方の左右一対の支柱１ａ、１ｂ間に架設される長手方向に伸縮自在の上方のパイプ部材２ａ、下方のパイプ部材２ｂと、後方の左右一対の支柱１ｃ、１ｄ間に架設される長手方向に伸縮自在の上方のパイプ部材２ｃ、下方のパイプ部材２ｄの組み付け体である。４本の支柱１ａ〜１ｄは平面視で四角形の角に位置する。本明細書中、上方のパイプ部材及び下方のパイプ部材を含めて単にパイプ部材とも言う。
【００１７】
４本の支柱１ａ〜１ｄは、いずれも同形状、同寸法であり、支柱１ａのみを説明し、１ｂ〜１ｄの説明は省略する。支柱１ａは、略四角形断面の上下方向に長い棒状体であり、支柱１ａのパイプ部材２ａが延びる方向に面が向いている両側面２３ａ、２３ｂであって、且つ支柱１ａの長手方向に適宜の間隔で複数、本例では５個の係止突起７が形成されている。係止突起７は、パイプ部材２ａ、２ｂの係止部材３と係止してパイプ部材２ａ、２ｂを支持するものである。
【００１８】
係止突起７は、図７に示すように、突出高さｈが数ｍｍ程度であり、所定の高さを有し、係止突起７のパイプ部材２ａ、２ｂが延びる方向から見た左右の側面７１ａ、７１ｂは、下方に向けて漸次拡大するテーパ面である（図６参照）。また、左右の側面７１ａ、７１ｂは、係止突起７の突起頂面７２側から支柱１の側面２３ａ、２３ｂ側に向けて漸次縮小する不図示の第２テーパ面を有する。すなわち、係止突起７は、パイプ部材２ａ、２ｂが延びる方向から見て略八の字形状である。係止突起７は、下方に向けて漸次拡大するテーパ面７１ａ、７１ｂを形成し、且つ当該テーパ面に対応する内テーパ面を有する係止部材３と係止して係止部材３の支柱への係止をし易く、且つ外しやすくしている。また、係止突起７は、テーパ面７１ａ、７１ｂが支柱１の側面２３ａ、２３ｂ側に向けて漸次縮小する第２テーパ面を形成し、且つ当該テーパ面に対応する第２内テーパ面を有する係止部材３と係止して係止部材３を支柱側へ引き込むようにしている。テーパは、概ね２〜３度あれば、十分な締め付け強さを付与できる。
【００１９】
また、支柱１ａのパイプ部材２ａ、２ｂが延びる方向と直交する前後方向における両側面２４ａ、２４ｂであって、上下位置が係止突起７の下端位置近傍に相当する位置には、係止横溝８（係止凹部）が形成されている。係止横溝８（係止凹部）が形成される側面２４ａ、２４ｂは、係止突起７が形成される側面２３ａ、２３ｂから直角に屈曲して延びる隣接側面である。係止凹部としては、係止横溝の他、笑窪状の係止凹部が挙げられる。係止横溝８（係止凹部）は、支柱１ａに係止しているパイプ部材側の係止部材３ａ、３ｅを外す際に使用される。支柱１ａの上下両端には、前後支柱を接続する接続パイプ５ａ、５ｂが嵌る嵌合部材９ａ、９ｂが設置されている。下方の嵌合部材９ｂの下端は設置面に設置する。
【００２０】
置棚装置１０は、上方の前後２本及び下方の前後２本の合計４本のパイプ部材２ａ〜２ｄを有する。４本のパイプ部材２ａ〜２ｄは、いずれも同形状、同寸法であり、パイプ部材２ａのみを説明し、２ｂ〜２ｄの説明は省略する。パイプ部材２ａは、中空パイプ２１ａに軸パイプ２２ａを伸縮自在に挿入してなるものである。本例では、軸パイプ２２ａは、外径が中空パイプ２１ａの内径より小であり、且つパイプ状であり、単に中空パイプ２１ａの中に、軸パイプ２２ａを挿入して得られるものである。従って、中空パイプ２１ａ及び軸パイプ２２ａは、互いに軸方向に移動自在である。なお、本例では、図２に示すように、前方の上下のパイプ部材２ａ、２ｂは、中空パイプが左側に位置し、軸パイプが右側に位置し、後方の上下のパイプ部材２ｃ、２ｄは、軸パイプが左側に位置し、中空パイプが右側に位置する。
【００２１】
置棚装置１０において、パイプ部材２ａの両端に固設される支柱１の係止突起７に係止する係止部材３を有する。すなわち、中空パイプ２１ａの一端及び軸パイプ２２ａの中空パイプ２１ａとは反対側の一端には、支柱１の係止突起７に係止する係止部材３ａ、３ｂを有する。図８及び図９に示すように、係止部材３は、パイプ部材２が延びる方向と直交する前後方向の一方が開口する平面視がコ字断面形状であり、コ字形状の対峙する両側部３２、３２の内周面３２１、３２１には、係止突起７のテーパ面７１ａ、７１ｂに対応する内テーパ面３４、３４が形成されたものである（図８参照）。また、内テーパ面３４、３４には、凹部の奥側に向けて漸次拡大する第２テーパ面に対応する不図示の第２内テーパ面を有する。
【００２２】
係止部材３は、パイプ部材２が延びる方向と直交する前後方向の一方の開口３９は、外側に向いている。すなわち、図５に示すように、前方のパイプ部材２ａ、２ｂの両端の係止部材３における開口３９は、前方側に向いている。また、後方のパイプ部材２ｃ、２ｄの両端の係止部材３における開口３９は、後方側に向いている。すなわち、係止部材３は、パイプ部材２に対して前後方向における内側から外側に移動させて嵌め込む。
【００２３】
このように、８個の係止部材３ａ〜３ｈは、設置の向き以外、いずれも同形状、同寸法であり、係止部材３ａのみを説明し、３ｂ〜３ｈの説明は省略する。係止部材３ａは、平面視コ字形状における縦線に相当するパイプ部材の長手方向に延びる基部３１と、基部３１のパイプ部材の長手方向における両端から前後方向の一方の側（係止部材３ａでは前方）に延びるコ字形状の横線に相当する両側部３２、３２とからなる。基部３１の内側面３１１は図９に示すように平坦面であり、支柱１の側面に当接する。両側部３２、３２の内側面は図８に示すように、係止突起７のテーパ面７１ａ、７１ｂに対応する内テーパ面３４、３４が形成されている。なお、係止部材３ａと係止突起７の係止は、係止突起７の上端が係止部材３ａの内テーパ面３４、３４を有する凹部の上端面に直接、接することなく、隙間を形成するような係止である。係止突起７の上端と係止部材３の凹部の上端面が当たるとテーパ面同士の当接が妨げられ、テーパ面同士による強い係止ができなくなる。
【００２４】
置棚装置１０において、一対の上方のパイプ部材２ａ、２ｃ間に差渡しで架設させる上方の棚板部材４ａを備える。また、一対の下方のパイプ部材２ｂ、２ｄに差渡しで架設させる下方の棚板部材４ｂを備える。棚板部材４ａ、４ｂは、本例では、パイプ部材２が延びる方向に、４つに分割されたものである。棚板部材４ａ、４ｂのそれぞれは、天板４１の前後端が下方に屈曲して係止片４２ａ、４２ｂを形成し、天板４１の左右端が下方に屈曲して係止片４３ａ、４３ｂを形成している。なお、係止片４３ａ、４３ｂには、パイプ部材２が通る切り欠き４４ａ、４４ｂが形成されている。
【００２５】
次に、置棚装置１０を組み付ける方法の一例について説明する。準備する部材は、図２に示すように、左側の前後一対の支柱１ａ、１ｃは、接続パイプ５ａ、５ｂにより予め接続され左一対の支柱体１Ａを構成している。また、右側の前後一対の支柱１ｂ、１ｄは、接続パイプ５ａ、５ｂにより予め接続され右一対の支柱体１Ｂを構成している。先ず、左一対の支柱体１Ａの支柱１ａの係止突起７に対して、上方の中空パイプ２１ａの係止部材３ａを係止させる。この係止は、係止部材３ａを係止突起７に対して上方から下方に押し下げることで得られる。この際、上方の中空パイプ２１ａは、支柱１ａに対し内側に位置する。係止突起７に係止部材３ａを係止させる際、中空パイプ２１ａの反係止部材３ａ側が自由端であるため、両者の係止はテーパに沿って円滑に行われ、歪みもなく、正確に係止できる。
【００２６】
同様に、左一対の支柱体１Ａの支柱１ａの他の下方の係止突起７に対して、下方の中空パイプ２１ｂの係止部材３ｅを係止させる。同様に、左一対の支柱体１Ａの支柱１ｃの上方の係止突起７に対して、上方の中空パイプ２１ｃの係止部材３ｃを係止させる。また、同様に、左一対の支柱体１Ａの支柱１ｃの他の下方の係止突起７に対して、後方側の下方の中空パイプ２１ｄの係止部材３ｇを係止させる。次いで、軸パイプ２２ａの挿入側の一端を中空パイプ２１ａの中に挿入して伸縮パイプ２ａを構成し、順次同様に、軸パイプ２２ｂの挿入側の一端を中空パイプ２１ｂの中に挿入して伸縮パイプ２ｂを構成し、軸パイプ２２ｃの挿入側の一端を中空パイプ２１ｃの中に挿入して伸縮パイプ２ｃを構成し、軸パイプ２２ｄの挿入側の一端を中空パイプ２１ｄの中に挿入して伸縮パイプ２ｄを構成する。なお、本発明において、中空パイプと軸パイプの接続を先に行い、次いで、パイプ部材先端の係止部材を支柱の係止突起に係止させてもよい。
【００２７】
次いで、右一対の支柱体１Ｂの支柱１ｂの上方の係止突起７に対して、上方の軸パイプ２２ａの係止部材３ｂを係止させる。同様に、右一対の支柱体１Ｂの支柱１ｂの他の下方の係止突起７に対して、下方の軸パイプ２２ｂの係止部材３ｆを係止させる。また、同様に、右一対の支柱体１Ｂの支柱１ｄの上方の係止突起７に対して、後方側の上方の軸パイプ２２ｃの係止部材３ｄを係止させる。また、同様に、右一対の支柱体１Ｂの支柱１ｄの他の下方の係止突起７に対して、後方側の下方の軸パイプ２２ｄの係止部材３ｅを係止させる。次いで、左一対の支柱体１Ａと右一対の支柱体１Ｂ間の距離を所望のものに合わせるため、両者を近づけるか又は遠ざけて調整し、例えば流し台の下のキャビネット内設置空間に設置し、更に左一対の支柱体１Ａと右一対の支柱体１Ｂ間の距離寸法を微調整し、セットする。次いで、上方の棚板部材４ａを、一対の上方のパイプ部材２ａ、２ｃ間に差渡しで架設させる。また、下方の棚板部材４ｂを、一対の下方のパイプ部材２ｂ、２ｄに差渡しで架設させて置棚装置１０を形成する（図１参照）。
【００２８】
次いで、置棚装置１０において、パイプ部材２の支柱１に対する架設位置を変更したい場合について説明する。上方のパイプ部材２ａ、２ｃ間に差渡しで架設された棚板部材４ａを外し、下方のパイプ部材２ｂ、２ｄ間に差渡しで架設された棚板部材４ｂを外す。次に、上方のパイプ部材２ａの両端部分を掴み、上方に持ち上げる。これで持ち上がらない場合、係止部材３ａの前後方向の裏側から支柱１の裏側面２４ａの係止横溝８に、例えばドライバーのマイナス端を差し込み、ドライバーの先端を支点としてパイプ部材側の係止部材３ａを上方へ押し上げれば、てこの原理で係止部材３ａと係止突起７の係止は簡単に解除することができる。同様に、上方のパイプ部材２ｃについて同様の方法で外す。必要であれば、下方のパイプ部材２ｂ、２ｄについても同様の方法で外す。次いで、再度の組み付けは、前述の組み付け方法と同様の方法により行えばよい。
【００２９】
置棚装置１０において、図１０に示すように、係止部材３は、パイプ部材２が延びる方向と直交する前後方向の一方の開口３９は、内側に向いていてもよい。すなわち、図１０に示すように、前方のパイプ部材２ａ、２ｂの両端の係止部材３における開口３９は、後方（内側）側に向いている。また、後方のパイプ部材２ｃ、２ｄの両端の係止部材３における開口３９は、前方（内側）側に向いている。この場合、係止部材３は、パイプ部材２に対して前後方向における外側から内側に移動させ、次いで下方に押し下げて嵌め込む。これにより、図５の係止方法では、伸縮のパイプ部材２は支柱１の内側に位置するのに対して、図１０の係止方法では、伸縮のパイプ部材２は支柱１の外側に位置することになる。棚板部材４の形状が前後のパイプ部材２間によって決定されるものを使用する場合、前後幅が大きな棚板部材を使用することができ、狭い設置空間の僅かな前後スペースを有効に利用できる。また、パイプ部材の位置に障害物などがある場合、図５の係止方法か図１０の係止方法のいずれかで解消できることがある。また、上方のパイプ部材は図５の係止方法とし、下方のパイプ部材は図１０の係止方法とすることができる。また、下方のパイプ部材は図５の係止方法とし、上方のパイプ部材は図１０の係止方法とすることができる。
【００３０】
本発明の置棚装置は、上記実施の形態例に限定されず、種々の変形を採ることができる。置棚装置において、支柱が２本で伸縮するパイプ部材が１本の場合、前後方向における他端は、例えば設置場所の壁面から突出する係止片に棚板部材が水平姿勢となるように棚板部材の一端を係止させればよい。この場合、棚段は１段となる。また、架設部材は、上記実施の形態例のパイプ部材に限定されず、伸縮する棚板部材であってもよい。伸縮する棚板部材としては、天板と天板の前後方向の両端から下方に屈曲する前後側部を有する大きなケース状の部材と、このケース状の部材に長手方向に伸縮自在に差し込まれる同様の形状で、僅かに小さいケース状の部材の嵌め込み体が挙げられる。また、本発明の置棚装置において、係止突起の突起頂面が、下方に向けて漸次拡大するテーパ面であってもよい。この場合、係止部材にも当該テーパ面に対応するテーパ面が形成されることになる。
【産業上の利用可能性】
【００３１】
本発明によれば、支柱からパイプ部材を外すには、支柱に対して係止部材を上方に引き上げるのみで簡単に外すことができる。また、再度の組み付けの際、パイプ部材が伸縮自在パイプであるため、他端は自由端であり、支柱側の係止突起とパイプ部材側の係止部材の位置決めは正確にでき、接続は支柱に対して係止部材を下方に押し下げるのみで簡単に組み込むことができる。また、パイプ部材側の係止部材は平面視がコ字形状であるため、支柱に対して内側接続と外側接続の両方ができ、前後方向の僅かな空間を有効利用できる。また、支柱とパイプ部材の係止が強く手で外し難い場合でも係止凹部を利用すれば、簡単に外すことができる。
【符号の説明】
【００３２】
１、１ａ〜１ｄ    支柱
２              パイプ部材
２ａ、２ｃ    上方のパイプ部材
２ｂ、２ｄ    下方のパイプ部材
３ａ〜３ｄ    係止部材
７            係止突起
８            係止横溝（係止凹部）
９ａ、９ｂ    嵌合部材
１０    置棚装置
２２ａ        中空部材
２１ａ        軸パイプ
Ａ            なべ等の台所用品
【図１】
0006466695.tif 000002
【図２】
0006466695.tif 000003
【図３】
0006466695.tif 000004
【図４】
0006466695.tif 000005
【図５】
0006466695.tif 000006
【図６】
0006466695.tif 000007
【図７】
0006466695.tif 000008
【図８】
0006466695.tif 000009
【図９】
0006466695.tif 000010
【図１０】
0006466695.tif 000011